(57)【要約】【課題】  構造が簡単であって微妙な調整を必要とすることなく、ステップと足場板とをともに水平に保つことのできる建築・土木作業用足場装置を提供する。【解決手段】  並列して配置した複数のタラップ１，１と、上記各タラップ間にブラケット８を介して水平に取り付けた足場板３とからなり、上記各タラップは一対の平行四辺形リンクからなる桁材４，５と、上記各桁材間に回転自在に枢着した複数の踏み板６と、上記各桁材の角度を調整する調整リンク７とを備えた建築・土木工事用作業足場において、上記ブラケットは上記足場板の幅方向に延びる支持桿９と、上記支持桿から上記踏み板方向に延設したソケット１０とで構成され、上記ソケットを上記踏み板の端部に回転自在に嵌め合わせて保持させ、上記足場板の端部に形成したフック１１を上記支持桿に引掛けて上記足場板を保持するようにした。【選択図】        図１
2005097895.tif 000002
【特許請求の範囲】
【請求項１】
並列して配置した複数のタラップと、上記各タラップ間にブラケットを介して水平に取り付けた足場板とからなり、上記各タラップは一対の平行四辺形リンクからなる桁材と、上記各桁材間に回転自在に枢着した複数の踏み板と、上記各桁材の角度を調整する調整リンクとを備えた建築・土木工事用作業足場において、上記ブラケットは上記足場板の幅方向に延びる支持桿と、上記支持桿から上記踏み板方向に延設したソケットとで構成され、上記ソケットを上記踏み板の端部に回転自在に嵌め合わせて保持させ、上記足場板の端部に形成したフックを上記支持桿に引掛けて上記足場板を保持するようにしたことを特徴とする建築・土木工事用作業足場。
【請求項２】
一対の平行四辺形リンクからなる桁材間に回転自在に枢着した複数の踏み板を有するタラップを並列して配置し、上記各タラップ間にブラケットを介して足場板を水平に取り付けた建築・土木工事用作業足場において、上記ブラケットは上記足場板の両端側から延出したソッケットで構成し、上記ソケットを上記踏み板に対して回転自在に保持するように構成したことを特徴とする建築・土木工事用作業足場。
【請求項３】
ソッケト内周と踏み板外周との間に隙間を形成してソケットを上下方向、左右方向に旋回出来るようにしている請求項1又は2に記載の建築・土木工事用作業足場。
【請求項４】
並列して配置した複数のタラップ間にブラケットを介して足場板を水平に取り付ける建築・土木工事用作業足場の設置方法において、上記足場板の両端側から延出する上記ブラケットが、上記踏み板に対して歩行面の傾斜を同一に維持しつつ回転自在に上記足場板を保持するようにして設置する建築・土木工事用作業足場の設置方法。
【発明の詳細な説明】
【技術分野】
【０００１】
本発明は、一般的に建築や土木工事などの作業に使用する建築・土木工事用作業足場とその設置方法に関する。
【背景技術】
【０００２】
従来、建築物等の建築現場の傾斜面、法面等の土木工事現場の傾斜面には作業者が歩行する作業足場が設置されている。
【０００３】
例えば、特許文献１に示すように、一般家屋等の建築物の周囲には枠組足場を設置するとともに、屋根面上に屋根工事用作業足場を設置し、屋根面上の建造、修理を行なう場合には、枠組足場を登って屋根工事用作業足場に移動している。
【０００４】
すなわち、作業足場は、タラップと、タラップ上に起立させた手摺と、タラップの側部に足場板支持金具を介して水平方向に結合した足場板と、足場板上に起立した手摺とを備え、作業者は、タラップを介して屋根面の上下方向へ歩行し、あるいは、足場板を介して屋根面の横方向へ歩行する。
【０００５】
足場板支持金具は、水平な支持桿と、支持桿の中間に下方に向けて設けた支持片と、支持片に形成した複数の取り付け孔とからなっている。支持桿の一端は、断面コ字状のブラケットを介して側桁の側面に枢着し、支持片は任意の取り付け孔を介して同様の側桁の側面に固定されている。支持桿の他端には手摺を差し込むソケットが結合されている。一般に、支持桿には、図示していないが足場板の端部フックを引掛けて足場板を設置するものである。この場合、タラップの角度が変化しても、足場板は常に水平に配置する必要がある。そこで、タラップの角度が変化した時は支持片の取り付け位置を取り付け孔のいずれかを選択して常に支持桿が水平になるように設定して対応させている。
【特許文献１】特開２００２−８９０３３号公報（請求項１、第4欄第２０行目から第６欄第１１行目）
【発明の開示】
【発明が解決しようとする課題】
【０００６】
しかし、タラップの角度が変化したとき足場板を常に水平に配置するため、タラップの角度が変化した時は支持片の取り付け位置を、取り付け孔のうちのいずれかを選択して、常に支持桿が水平になるように設定して対応させるものであるから、ステップと足場板とをともに水平に保つためには、支持片の取り付け位置に対して取り付け孔を微細に設け、さらにその都度微細な調整をしなければならないという課題がある。
【０００７】
つまり、ステップが取り付け斜面によって傾斜が変わったときに、それにつれて足場板をともに水平に保つためには、支持片の取り付け位置に対する取り付け孔を可能な限り連続して微細に設ける必要があるが、自ずとそれには限界がある。そのためにステップと足場板とをともに水平に保つことは、近似させることは可能であっても常時一致させることは困難である。
【０００８】
また、このような構造であるから構成する部品点数が多くなるとともに複雑になっている。さらに、その構造が複雑になることから、故障が多くなるとともにその調整作業が煩雑になり、作業性も悪いという課題がある。
【０００９】
本発明は、このような課題を解決し構造が簡単であって、微妙な調整を必要とすることなく、ステップと足場板とをともに水平に保つことのできる建築・土木作業用足場装置を提供することを目的とする。
【課題を解決するための手段】
【００１０】
上記課題を解決するために、本発明の一つの手段は、並列して配置した複数のタラップと、上記各タラップ間にブラケットを介して水平に取り付けた足場板とからなり、上記各タラップは一対の平行四辺形リンクからなる桁材と、上記各桁材間に回転自在に枢着した複数の踏み板と、上記各桁材の角度を調整する調整リンクとを備えた建築・土木工事用作業足場において、上記ブラケットは上記足場板の幅方向に延びる支持桿と、上記支持桿から踏み板方向に延設したソケットとで構成され、上記ソケットを上記踏み板の端部に回転自在に嵌め合わせて保持させ、上記足場板の端部に形成したフックを上記支持桿に引掛けて上記足場板を保持するように構成される。
【００１１】
また、他の手段は、一対の平行四辺形リンクからなる桁材間に回転自在に枢着した複数の踏み板を有するタラップを並列して配置し、上記各タラップ間にブラケットを介して足場板を水平に取り付けた建築・土木工事用作業足場において、上記ブラケットは上記足場板の両端側から延出しソケットで構成し、上記ソケットを上記踏み板に対して回転自在に保持するように構成される。
【００１２】
上記の手段の場合、ソッケト内周と踏み板外周との間に隙間を形成してソケットを上下方向、左右方向に旋回出来るようにしているのが好ましい。
【００１３】
さらに、本発明の方法は、並列して配置した複数のタラップ間にブラケットを介して足場板を水平に取り付ける建築・土木工事用作業足場の設置方法において、上記足場板の両端側から延出する上記ブラケットが、上記踏み板に対して歩行面の傾斜を同一に維持しつつ回転自在に上記足場板を保持するように設置している。
【発明の効果】
【００１４】
以上のように、請求項１の発明によれば、ブラケットは足場板の幅方向に延びる支持桿と、上記支持桿から踏み板方向に延設したソケットとで構成され、上記ソケットを上記踏み板の端部に回転自在に嵌め合わせて保持させるように構成したものであるから、構造が簡単であって微妙な調整を必要とすることなく、ステップと足場板とをともに水平に保つことのできる。
【００１５】
また、請求項２の発明によれば、上記ブラケットは上記足場板の両端側から延出し、かつ上記踏み板の厚さ方向で上下に並列して形成されたソケットで構成し、上記ソケットを上記踏み板に対して回転自在に保持するように構成したから、ステップと足場板とをともに水平に保つために、簡単な構造でありながら微妙な調整を必要とすることのない建築・土木作業用足場装置を提供することができる。
【００１６】
更に、請求項３の発明によれば、ソケットと踏み板との間の隙間でガタが出来、ソケットの旋回が自在となる。
【００１７】
さらに、請求項４の発明によれば、足場板の両端側から延出する上記ブラケットが、上記踏み板に対して歩行面の傾斜を同一に維持しつつ回転自在に上記足場板を保持するようにしてあるから、桁材に連動して踏み板の傾斜が修正されると、それに伴って足場板の傾斜も自動的に修正できるようになる。
【００１８】
その結果、上記の各発明によれば構造が簡単であって、微妙な調整を必要とすることなく、また故障が少なく作業性を向上しつつ、ステップと足場板とを水平に保つことが簡単に行える建築・土木作業用足場装置とその設置方法を提供できるようになる。
【発明を実施するための最良の形態】
【００１９】
以下、本発明の一実施形態について、図面を参照して詳細に説明するが、図１は、建築作業現場や土木作業現場の傾斜面に、タラップ１，１が並列して設置され、その間に足場板３が手摺り２とともに、ブラケット８を介して取り付けられている状態を示している。
【００２０】
図２は、本発明に使用するタラップ１の基本構成を示す斜視図であり、平行に配置された桁材４および５を一組として、これらを左右に一組ずつ並設したものからなる。タラップ1は、平行な二本の桁材４，５を左右に一組併設し、その間に複数の踏み板６を上下方向で、かつ、等間隔に介在させて取り付けて階段状に構成される。また、複数枚の踏み板３は、その四隅付近の端面部分で各桁材４，５に突設された水平軸Ｊに対して、回動自在に支持（軸支）されている。なお、最上部の踏み板６の四隅には、図示しないが公知のフック部材を取り付けるための取り付け孔６ｈが設けられている。このフック部材によってタラップ１が、建築現場や土木作業現場で固定部分に、周知のようにしっかりと取り付けられる。
【００２１】
また、各組の桁材４および５の下端間には、接地金具Ｓが、上記同様の水平軸４を用いて回動自在に支持されている。従って、左右各組の桁材４および５と各踏み板６および接地金具Ｓとは、側方から見て複数の平行四辺形をなす。このため、桁材４および５をこれらの長手方向であって、互いに逆となる方向に変位させることにより、全ての踏み板６が桁材４および５に対して角度を同時に変えることができる。
【００２２】
つまり、桁材４および５の立ち上り角度（すなわち、タラップ装置としての使用角度）がどのように変化しても、桁材４および５の上記逆方向の変位操作によって、踏み板６をすべて自動的に水平に調節することができる。
【００２３】
複数枚の踏み板６のうち、例えば、上から二段目および最下段の踏み板６の両側面には、これらに対し垂直となるように、手摺り２の支柱（図示しない）を挿通して支持するための有底筒状のパイプＰが、溶接やボルト止めなどの締結手段にて固定されている。
【００２４】
さらに、各桁材４，５の下端部を除く部位の、例えば、中央部付近の外側面には、ボルトやネジなどからなる支持軸Ｋが水平方向に突設されており、これらの支持軸Ｋには、調節リンク７の一端が回動自在に支持されている。また、この調節リンク７は中央部より他端部に延びる長孔Ｎを有する。
【００２５】
一方、上記各桁材５の外側面であって、上記支持軸Ｋの下方位置には、ネジ軸（図示しない）が突設されており、このネジ軸に調節リンク７の長孔Ｎが挿通され、さらに、ネジ軸端に蝶ネジＭがねじ込まれている。従って、この蝶ネジＭをネジ軸にねじ込むことで、蝶ネジＭと桁材５との間に調節リンク７を圧迫状態にて保持することができる。この結果、桁材４と桁材５との間隔が常に平行なまま保持される。
【００２６】
従って、このような構成のタラップ１を、地上から高さが若干異なり傾斜した建築工事現場あるいは傾斜した土木作業用現場等で掛け渡す場合には、左右一組の桁材４および５を互いに逆方向にずらせるように操作することによって、各踏み板６が常に水平状態を維持するようになり有効である。
【００２７】
そして、このように各踏み板６を水平状態にした後は、蝶ネジＭを締め付けることによって桁材４および５の相対位置または間隔がロックされ、この状態が安定保持されるから、作業員は工事用タラップ１、１として踏み板６上での昇り降りが安全に行なえるようになる。また、パイプＰに公知の手摺り２を取り付ければ、さらに安全に作業をすることが出来るようになる。
【００２８】
図３は、ブラケット８を拡大したもので、図３（Ａ）が平面で図３（Ｂ）が側面を示し、支持桿９の中央部付近から左側へパイプが延び出して、その先端部分に断面がコ字状になったソケット１０が形成されている。ソケット１０は、コ字状部分が踏み板６に嵌め合わされるように、上下面が平行に形成され中央に穴Ｈが明けられている。
【００２９】
図４は、踏み板６にブラケット８のソケット１０が嵌め合わされ、さらに足場板３がブラケット８に取り付けられた状態の拡大図である。ブラケット８は、ソケット１０が踏み板６に嵌め合わされ、踏み板６の穴とソケット１０の穴Ｈを取り付けボルトＴが貫通することによって、ナットで締め付けられている。
【００３０】
従って、支持桿９は、踏み板６とほぼ平行な面内を、上下左右方向に動くことが出来る状態を保つことになる。即ち、足場板３と同一平面内にあるソケット１０を、足場板３および踏み板６双方の歩行面の歩行方向に対する左右の傾斜を同一に維持しつつ、踏み板６に対して上下左右方向に回転自在に保持するように構成したものである。
【００３１】
従って、踏み板６が桁材４，５の傾きに連動して、自動的に水平に調整されるのと同時に、足場板３も歩行方向に対する左右の傾きを踏み板６と同一に維持できるようになる。
【００３２】
図５は、この状態を示すもので、図５（Ａ）は、平面を示し、図５（Ｂ）は、側面を示し、ブラケット８は、踏み板６と同一面内を左右方向に角度ａ、また上下方向に角度ｂだけ旋回できる。これは、ソケット１０と踏み板６との間に若干隙間Ａ，Ｂを形成しておき、両者の間にガタを発生させることにより達成される。そして、支持桿９には足場板３に固定したフック１１が引掛けられ、踏み板６と足場板３とが略同一平面を維持しつつ、図５では誇張して示されているが、若干だけ旋回できるようになっている。
【００３３】
なお、図５では、取り付けボルトＴがソケット１０に最小の隙間でシックリ嵌め合い、踏み板６には緩く嵌め合うように示されているが、取り付けボルトＴがソケット１０に緩く嵌め合い、踏み板６には最小の隙間でしっくり嵌め合うように構成してもよい。
【００３４】
このように構成することによって、左右のタラップ１，１に若干の高低差や傾斜の差が生じていても、それらの間に掛け渡される足場板３と、踏み板６とがほぼ同一水平面を維持する。すなわち、常に水平状態を保つ踏み板６に対して回転自在に足場板３を保持するようにすることによって、左右のタラップ１，１に若干の高低差や傾斜の差が生じていても、足場板３が自動的に踏み板６と同様に歩行方向に対する左右の傾きを同一にして水平に取り付けられる。
【００３５】
図６は、単体の足場板３に手摺り２が公知の方法で取り付けられた状態を示し、図６（Ａ）は平面、図６（Ｂ）は、側面を示す。足場板３の両端側にはフック１１が延びており、このフック１１がブラケット８の支持桿９に嵌め合うようになる。
【００３６】
ここで、上記図５および図６では、踏み板６にブラケット８を取り付けた後に、ブラケット８の支持桿９に足場板３のフック１１を嵌め合わせるように構成した実施形態を示したが、足場板３の端部側に直接ソケット１０または支持桿９を取り付けるように構成することもできる。すなわち、ブラケット８は、足場板３の両端側から延出したソケット１０で構成するものである。そして、このように構成しても本発明の目的および作用効果は何ら損なわれることはない。
【００３７】
また、ブラケット８は、ソケット１０を介して踏み板６に取り付けられているが、この構成に代えてユニバーサル・ジョイントを用いても実施可能である。すなわち、ソケット10が踏み板6に対して自在に回転できるようになっている構造を、ユニバーサル・ジョイントで構成すればよい。
【００３８】
なお、本発明は、上記実施形態に限定されるものではなく、本発明の技術的思想の範囲内で、適宜変更して実施することができるものである。
【図面の簡単な説明】
【００３９】
【図１】本発明の一実施の形態を示す側面図である。
【図２】本発明の一実施の形態に使用するタラップの斜視図である。
【図３】本発明の一実施の形態における主要部品の拡大図で、（Ａ）は、正面図、（Ｂ）は、平面図である。
【図４】本発明の一実施の形態における主要部の構成を拡大して示す斜視図である。
【図５】本発明の一実施の形態における主要部品の作動説明図で、（Ａ）は、正面図、（Ｂ）は、平面図である。
【図６】本発明の一実施の形態における足場板の拡大図で、（Ａ）は、平面図、（Ｂ）は、正面図である。
【符号の説明】
【００４０】
１  タラップ
２  手摺り
３  足場板
４，５  桁材
６  踏み板
７  調節リンク
８  ブラケット
９  支持桿
１０  ソケット
１１  フック
Ｊ  水平軸
Ｋ  支持軸
Ｐ  パイプ
Ｓ  設置金具
Ｔ  取り付けボルト
【図１】
2005097895.tif 000003
【図２】
2005097895.tif 000004
【図３】
2005097895.tif 000005
【図４】
2005097895.tif 000006
【図５】
2005097895.tif 000007
【図６】
2005097895.tif 000008